(57)【要約】【課題】  記録ヘッドを搭載した搭載手段の安定移動を実現して記録の高品質化を図るとともに、記録速度の高速化や、装置全体の小型化を可能とする画像記録装置を提供する。【解決手段】  被記録媒体Ｐに対してノズルからインクを吐出して記録する記録ヘッド３と、この記録ヘッド３を搭載する搭載手段５と、前記搭載手段５を案内部材６に沿って走行させる移動手段とを備える画像記録装置において、案内部材６は、搭載手段５の走行方向に沿って延設され、案内部材６の案内面６ａと、搭載手段５の被案内面５ａとは対面して設けられ、搭載手段５には、その被案内面５ａと案内部材６の案内面６ａとの間へ圧縮流体を供給可能な流体供給部が備えられ、少なくとも搭載手段５の走行時には、搭載手段５の被案内面５ａと案内部材６の案内面６ａとの間には前記圧縮流体が介在するように構成している。【選択図】  図３
2006150834.tif 000002
【特許請求の範囲】
【請求項１】
被記録媒体に対してノズルからインクを吐出して記録する記録ヘッドと、
この記録ヘッドを搭載する搭載手段と、
前記搭載手段を案内部材に沿って走行させる移動手段とを備える画像記録装置において、
前記案内部材は、前記搭載手段の走行方向に沿って延設され、
前記案内部材の案内面と、前記搭載手段の被案内面とは対面して設けられ、
前記搭載手段には、その被案内面と前記案内部材の案内面との間へ圧縮流体を供給可能な流体供給部が備えられ、
少なくとも前記搭載手段の走行時には、前記搭載手段の被案内面と前記案内部材の案内面との間には前記圧縮流体が介在するように構成したことを特徴とする画像記録装置。
【請求項２】
前記流体供給部として、前記搭載手段の被案内面には、前記圧縮流体を前記案内部材の案内面に噴射する噴射口が設けられていることを特徴とする請求項１に記載の画像記録装置。
【請求項３】
前記案内部材の案内面は、前記搭載部材の走行方向に直交する方向への移動を規制するように、少なくとも一対設けられ且つ傾斜状に形成されていることを特徴とする請求項１または２に記載の画像記録装置。
【請求項４】
前記記録ヘッドのノズル面は、前記搭載手段の天面側に配置され、前記ノズルからインクは上向きに吐出されることを特徴とする請求項１から３のいずれかに記載の画像記録装置。
【請求項５】
前記搭載手段の被案内面は、前記走行方向に沿う両側に分離して設けられ、前記記録ヘッドのノズル面は、前記搭載手段の底面側にて前記分離した被案内面の間に配置され、前記ノズルからインクは下向きに吐出されることを特徴とする請求項１から３のいずれかに記載の画像記録装置。
【請求項６】
前記搭載手段が走行する領域の走行方向の両端部近傍では、走行方向に交差して設けられる壁状部材に、前記圧縮流体の逃がし孔が設けられていることを特徴とする請求項１から５のいずれかに記載の画像記録装置。
【請求項７】
前記圧縮流体を発生させるポンプ装置が備えられ、前記ノズルから吐出されたインクのうち被記録媒体に着弾しないインクは、前記ポンプ装置の吸引力により吸引除去されることを特徴とする請求項１から６のいずれかに記載の画像記録装置。
【発明の詳細な説明】
【技術分野】
【０００１】
本発明は、記録ヘッドが被記録媒体に対して移動しながらインクを吐出して記録する画像記録装置に関するものである。
【背景技術】
【０００２】
被記録媒体へノズルからインクを吐出して記録するインクジェット式の記録ヘッドを備えた画像記録装置において、従来から、被記録媒体の搬送方向（副走査方向）と直交する方向（主走査方向）へ、記録ヘッドを移動させながら記録する方式が知られており、例えば、特許文献１には、上述したような画像記録装置を、多機能装置（ＭＦＤ）のプリンタ機能として適用した例が記載されている。
【０００３】
この画像記録装置では、フレーム体の内部に、左右方向に長い前ガイド軸と後ガイド軸とが平行状に設けられており、この前後ガイド軸が、記録ヘッドを搭載したキャリッジに挿通されている。また、キャリッジには、無端帯であるタイミングベルトが取り付けられ、このタイミングベルトはプーリーを介してキャリッジ駆動モータに接続されている。そして、キャリッジ駆動モータを正逆転させることで、タイミングベルトに牽引されたキャリッジが、前後ガイド軸に案内されて、主走査方向に往復摺動するように構成されている。
【０００４】
そして、キャリッジとこれを案内する軸等との間には、摺動摩擦抵抗を減らすために、グリス等の潤滑剤を塗布することも知られている。
【０００５】
なお、特許文献１では、キャリッジの移動を案内する部材として、２本の軸（ロッド）が挿通されているが、この他にガイドレールに沿って摺動するように構成する場合もある。また、キャリッジを牽引する手段としては、タイミングベルトだけでなく、ラックギアやボールねじ等が用いられる場合もある。
【特許文献１】特開２００４−２３７４９５号公報（図２及び図３参照）
【発明の開示】
【発明が解決しようとする課題】
【０００６】
ところが、キャリッジが軸等の案内部材に対して摺動するため、発熱等によるエネルギーの浪費や、摺動音の発生、あるいはキャリッジの高速走行の限界といった問題があった。
【０００７】
また、摺動部分に使用されるグリス等の潤滑剤は、経年変化や環境温度変化により、その粘度が変化する。また、キャリッジと案内部材との間の嵌め合い寸法は、部品毎の寸法バラツキや、熱膨張等によっても変化する。従って、キャリッジと案内部材との間の摺動摩擦抵抗は、経時的にも温度的にも、また摺動（嵌め合い）の位置的にもバラツキを生じることになる。そして、この摺動摩擦抵抗のバラツキは、キャリッジの移動速度の乱れ（スティック・スリップ）を発生させるので、インクの着弾位置がずれて記録品質を低下さるという問題も生じていた。
【０００８】
また、キャリッジの主走査方向への移動における加速領域に加えて、前記摺動摩擦抵抗のバラツキによる速度変動（オーバーシュート等）の影響を弱めるために、速度変動が収束するのに十分な長さの領域を確保する必要があり、そのため、キャリッジの主走査方向における装置寸法の小型化に限界があった。
【０００９】
本発明は、上記問題を解消するものであり、記録ヘッドを搭載した搭載手段の安定移動を実現して記録の高品質化を図るとともに、記録速度の高速化や、装置全体の小型化を可能とする画像記録装置の提供を目的とするものである。
【課題を解決するための手段】
【００１０】
前記目的を達成するために、請求項１に記載の発明における画像記録装置は、被記録媒体に対してノズルからインクを吐出して記録する記録ヘッドと、この記録ヘッドを搭載する搭載手段と、前記搭載手段を案内部材に沿って走行させる移動手段とを備える画像記録装置において、前記案内部材は、前記搭載手段の走行方向に沿って延設され、前記案内部材の案内面と、前記搭載手段の被案内面とは対面して設けられ、前記搭載手段には、その被案内面と前記案内部材の案内面との間へ圧縮流体を供給可能な流体供給部が備えられ、少なくとも前記搭載手段の走行時には、前記搭載手段の被案内面と前記案内部材の案内面との間には前記圧縮流体が介在するように構成したことを特徴とするものである。
【００１１】
また、請求項２に記載の発明は、請求項１に記載の画像記録装置において、前記流体供給部として、前記搭載手段の被案内面には、前記圧縮流体を前記案内部材の案内面に噴射する噴射口が設けられていることを特徴とするものである。
【００１２】
また、請求項３に記載の発明は、請求項１または２に記載の画像記録装置において、前記案内部材の案内面は、前記搭載部材の走行方向に直交する方向への移動を規制するように、少なくとも一対設けられ且つ傾斜状に形成されていることを特徴とするものである。
【００１３】
また、請求項４に記載の発明は、請求項１から３のいずれかに記載の画像記録装置において、前記記録ヘッドのノズル面は、前記搭載手段の天面側に配置され、前記ノズルからインクは上向きに吐出されることを特徴とするものである。
【００１４】
また、請求項５に記載の発明は、請求項１から３のいずれかに記載の画像記録装置において、前記搭載手段の被案内面は、前記走行方向に沿う両側に分離して設けられ、前記記録ヘッドのノズル面は、前記搭載手段の底面側にて前記分離した被案内面の間に配置され、前記ノズルからインクは下向きに吐出されることを特徴とするものである。
【００１５】
また、請求項６に記載の発明は、請求項１から５のいずれかに記載の画像記録装置において、前記搭載手段が走行する領域の走行方向の両端部近傍では、走行方向に交差して設けられる壁状部材に、前記圧縮流体の逃がし孔が設けられていることを特徴とするものである。
【００１６】
また、請求項７に記載の発明は、請求項１から６のいずれかに記載の画像記録装置において、前記圧縮流体を発生させるポンプ装置が備えられ、前記ノズルから吐出されたインクのうち被記録媒体に着弾しないインクは、前記ポンプ装置の吸引力により吸引除去されることを特徴とするものである。
【発明の効果】
【００１７】
請求項１に記載の発明によれば、少なくとも搭載手段の走行時には、搭載手段の被案内面と案内部材の案内面との間に圧縮流体が介在して、被案内面は案内面に対して浮上するから、前記搭載手段と案内部材との摩擦抵抗はゼロまたはゼロに極めて近くなる。そのため、搭載手段の走行では、慣性負荷のみを制御すればよいので、走行の高速化や、走行における加速距離を短くして走行方向の装置寸法の小型化が可能となる。また、摩擦抵抗が小さいから走行速度が安定し、その結果、騒音の低減や、インクの着弾位置精度の向上による記録の高品質化が可能となる。
【００１８】
請求項２に記載の発明によれば、圧縮流体は、搭載手段の被案内面から案内部材の案内面に噴射され、その反動で搭載手段が浮上する。そして、走行する搭載手段側に噴射口を設けることにより、搭載手段の走行位置に応じて、案内部材における圧縮流体の介在部位が変位する。換言すれば、浮上に必要な箇所だけに、効率よく圧縮流体を介在させることができる。
【００１９】
請求項３に記載の発明によれば、案内面が、搭載部材の走行方向に直交する方向への移動を規制するように傾斜状に設けられているから、被案内面と案内面との位置決めにおいて、鉛直方向と走行方向に直交する水平方向の両方の位置決めを同時に且つ精度良く行うことができる。また、案内面は少なくとも一対設けられているから、走行方向に直交する方向のバランスが保たれる。
【００２０】
請求項４に記載の発明によれば、ノズル面を搭載手段の天面側に配置してインクを上向きに吐出させるから、搭載手段を浮上させる圧縮流体をインクの吐出に悪影響を及ぼさないように噴射させる構造を容易に形成できる。
【００２１】
請求項５に記載の発明によれば、ノズル面を搭載手段の底面側に配置してインクを下向きに吐出させるから、被記録媒体に着弾しなかったインクの落下がノズル面を汚染する心配がない。
【００２２】
請求項６に記載の発明によれば、壁状部材に逃がし孔を設けているから、搭載手段が壁状部材に接近したときに、圧縮流体が逃げ場をなくして、搭載手段と壁状部材との間で局所的に高圧になることを抑制できる。これにより、搭載手段は、壁状部材の近傍においても、その被案内面が案内部材の案内面に対してバランスを崩すことなく安定して浮上でき、搭載手段全体の傾倒を防止することができる。
【００２３】
請求項７に記載の発明によれば、被記録媒体に着弾しないインクを吸引除去するから、前記インクによる汚染を防止できる。また、圧縮流体を発生させるポンプ装置を利用して、インクを吸引除去するから、インクの吸引除去用に別途ポンプ装置や吸引装置を容易する必要がない。
【発明を実施するための最良の形態】
【００２４】
以下に本発明の実施形態を図面に基づいて説明する。図１は画像記録装置の平面図、図２は図１のII−II線矢視断面図、図３は図１のIII−III線矢視拡大断面図、図４は画像記録装置の斜視図、図５（ａ）はキャリッジを上面側から見た斜視図、図５（ｂ）はキャリッジを下面側から見た斜視図、図６は噴射口付近を拡大した分解断面図、図７は圧縮流体の制御を示すブロック図、図８（ａ）及び図８（ｂ）はキャリッジと案内部材の変形例を模式的に示す断面図である。なお、図１及び図４では、被記録媒体Ｐの一部を透視して図示している。
【００２５】
図１に示すように、本発明の画像記録装置であるインクジェットプリンタは、用紙等の被記録媒体Ｐにインクを吐出させて記録する記録部１を、フレーム体２の内部に備えている。このインクジェットプリンタは、例えば、単独のプリンタ装置としてだけでなく、コピー機能、スキャナ機能、ファクシミリ機能等を備えた多機能装置（ＭＦＤ：Multi Function Device ）のプリンタ機能としても適用することができる。
【００２６】
記録部１には、インクを吐出するインクジェット式の記録ヘッド３と、この記録ヘッド３を搭載する搭載手段としてのキャリッジ５と、キャリッジ５を案内部材６に沿って走行させる移動手段とが備えられている。
【００２７】
移動手段としては、フレーム体２の下面側に取り付けられたキャリッジ駆動モータ７と、キャリッジ５に取り付けられた無端帯であるタイミングベルト８と、キャリッジ駆動モータ７とタイミングベルト８とを連結するプーリー９とを備えている。キャリッジ５にタイミングベルト８を取り付けるための係合部２２は、後述するキャリッジ５の浮上時のバランスの崩れを防止するために、キャリッジ５の底部５ｂの下面中央に設けられている。
【００２８】
また、記録部１は、被記録媒体Ｐを図１における矢印Ａ方向（副走査方向、Ｘ方向）に搬送するために、記録ヘッド３を挟んだ搬送方向の上流と下流のそれぞれに、被記録媒体Ｐを挟持しながら回転するローラ対２０を有している。記録ヘッド３は、そのノズル面３ａを上面としてキャリッジ５に搭載されており、被記録媒体Ｐは、記録ヘッド３の上方を通って搬送される。
【００２９】
キャリッジ５は、前記移動手段の牽引により、副走査方向（Ｘ方向）と直交する方向（Ｙ方向、主走査方向）に走行するが、被記録媒体Ｐに対する記録領域を外れたキャリッジ５の移動端近傍（図１では右端）には、メンテナンス部４が設けられている。メンテナンス部４には、記録ヘッド３のノズル面３ａに付着したインク滴を払拭するワイパ装置と、記録ヘッド３のインクや気泡等をノズル側から吸引して吐出不良等を回復させるパージ装置とが配置されている。記録ヘッド３のノズル面３ａは上面側に配置されているため、メンテナンス時には、キャリッジ５はメンテナンス部４の下方に移動するように設けられている。
【００３０】
案内部材６は、Ｙ方向（主走査方向）に長く延びる横長形状を有し、その上面側にキャリッジ５が配置される。案内部材６は、キャリッジ５のＸ方向（副走査方向）への移動を規制するように、その長手方向に沿う両側端部が、上方に折り曲げられて傾斜状の案内面６ａが一対形成されている。すなわち、案内部材６は、Ｙ方向からの側面視では、上方側の幅が下方側の幅よりも大きい上向きコの字形状になっている。また、案内面６ａの上端にはその長手方向に沿って、内方側に僅かに突出する庇部６ｂが設けられており、後述するキャリッジ５の浮上が過度になることを、キャリッジ５が庇部６ｂに当接することによって防止するようにしている。なお、図６は、キャリッジ５と案内部材６との隙間、及びキャリッジ５と記録ヘッド３との隙間を強調して図示したものである。
【００３１】
キャリッジ５は、図３、図５（ａ）及び図５（ｂ）に示すように、記録ヘッド３を収容可能でかつ天面が開口した箱状で、その外面に案内部材６の前記傾斜状の案内面６ａに対面する被案内面５ａを一対有しており、Ｙ方向からの側面視で上辺（上底）が下辺（下底）よりも長い台形状を呈している。そして、前述したように記録ヘッド３は、そのノズル面３ａをキャリッジ５の天面側の開口から露出させてキャリッジ５に搭載され、インクを上向きに吐出する。
【００３２】
また、キャリッジ５は、その被案内面５ａと、案内部材６の案内面６ａとの間へ、圧縮流体としての圧縮空気が供給可能な流体供給部を備えており、この圧縮空気を被案内面５ａと案内面６ａとの間に介在させることで、被案内面５ａが案内面６ａに対して非接触で浮上するようにしている。なお、この圧縮空気は、キャリッジ５が案内部材６に沿って走行するときに介在すればよく、非走行時には、被案内面５ａが案内面６ａに接触して、キャリッジ５が案内部材６に載置される。また、キャリッジ５の走行時には、キャリッジ５が被記録媒体Ｐに対する記録領域を走行するときだけでなく、キャリッジ５が記録領域を外れてメンテナンス部４へ移動するときも含まれるものとする。
【００３３】
前記圧縮空気は、フレーム体２の下面側に配置されたポンプ装置１１で発生され、可撓性を有する供給チューブ１２を介してキャリッジ５に供給される（図２参照）。前記流体供給部として、キャリッジ５の底部５ｂには、供給チューブ１２が接続されて圧縮空気をキャリッジ５の内側に導入する供給口１３が形成され、また、被案内面５ａを有する２つの側部には、圧縮空気を案内面６ａに噴射する噴射口１５がそれぞれに４箇所ずつ穿設されている（図５（ａ）、図５（ｂ）及び図６参照）。
【００３４】
また、キャリッジ５の底部５ｂの内面及び被案内面５ａを有する側部の内面には、前記供給口１３から噴射口１５に延びる流体通路１４が溝状に形成されている。この流体通路１４は、２つの被案内面５ａに分かれて配置された噴射口１５からの噴射の圧力が均等になるように、供給口１３から、一旦キャリッジ５の底部５ｂの内面の中央部に引き回された後に、両方の被案内面５ａへ対称性を保って延設されている（図５（ａ）参照）。また、噴射口１５は被案内面５ａに凹設されたポケット部２１の略中央部に穿設されており、噴射口１５から案内面６ａに噴射された圧縮空気が、拡散せずにポケット部２１に溜まるようにして、浮上の効率を上げている（図５（ｂ）及び図６参照）。
【００３５】
また、キャリッジ５の内面には、流体通路１４の開放面を覆うようにフィルム体１６が溶着などにより固着されており、流体通路１４の形成を容易化している（図５（ａ）及び図６参照）。なお、図５（ａ）は、フィルム体１６の大部分を取り除いた状態を図示したものである。
【００３６】
また、キャリッジ５が走行する領域の走行方向の両端部近傍には、この走行方向に直交してフレーム体２の壁状部材２ａが設けられている（図４参照）。この壁状部材２ａには、キャリッジ５が接近したときに、圧縮空気が壁状部材２ａとの間で高圧になって圧力バランスが崩れ、キャリッジ５の片方が浮き上がって着弾位置がずれることを防止するために、圧縮空気の逃がし孔２１が複数個穿設されている。複数の逃がし孔２１は、案内面６ａ及び被案内面５ａの傾斜に応じて斜めに配置されている。
【００３７】
また、図７のブロック図に示すように、前記ポンプ装置１１には、圧縮空気の圧力や流量を調節する圧力制御手段２４が付加されている。記録ヘッド３のノズル面３ａと被記録媒体Ｐとのギャップは、被記録媒体Ｐの厚みの違いによって変化する。また、空気の粘度は、環境温度の変化によって変化する。従って、被記録媒体Ｐの厚みを自動検知または手動入力する厚み検知手段２５と、環境温度を検知する温度センサ２６とを設けて、これらのデータが圧力制御手段２４に入力されるように構成している。これにより、被記録媒体Ｐの厚みや環境温度の変化にかかわらず、ノズル面３ａと被記録媒体Ｐとの距離を最適値に保つように、噴射口１５から噴射される圧縮空気の圧力や流量を調整している。
【００３８】
また、記録ヘッド３から吐出したインクのうち、被記録媒体Ｐに着弾しないインクを吸引除去するために、インク吸収体を備えた吸引口２３が、ノズル面３ａの上方に記録領域より広い領域をカバーするように設けられている（図３参照）。この吸引口２３はポンプ装置１１に接続されており、ポンプ装置１１の吸引力を利用して吸引したインクをインク吸収体に吸着させる。これにより、被記録媒体Ｐに着弾しなかったインクが落下して記録ヘッド等を汚染することを防止している。なお、吸引口２３の位置は、前述したノズル面３ａの上方に限定するものではない。
【００３９】
上記構成によると、キャリッジ５の走行開始に先立って、ポンプ装置１１から供給された圧縮空気は、供給口１３及び流体通路１４を通って噴射口１５から案内面６ａに噴射される。これにより、キャリッジ５の被案内面５ａと案内部材６の案内面６ａとの間に圧縮空気が介在して、被案内面５ａと案内面６ａとが非接触となる。そして、キャリッジ５は、浮上した状態で、タイミングベルト８による牽引が開始されて、主走査方向に往復移動する。但し、キャリッジ５の浮上量が大きすぎると、案内部材６の庇部６ｂとキャリッジ５とが接触することがある等、被案内面５ａと案内面６ａとの間以外では、走行時に接触している場合もある。
【００４０】
このようにキャリッジ５が案内面６ａに対して浮上して走行することにより、キャリッジ５と案内部材６とは、その摺動摩擦抵抗がゼロまたはほとんどゼロとなるので、走行時には慣性負荷のみを考慮した制御を行えばよく、キャリッジ５の走行を高速化することが可能になる。また、摺動による摩擦抵抗や発熱がないため、走行時のエネルギーロスもきわめて小さくなるうえに、摺動時の熱膨張を考慮する必要がなくなるので、キャリッジ５及び案内部材６の材質選定の自由度が向上される。
【００４１】
また、摺動摩擦抵抗がほとんどゼロでそのバラツキがないので、キャリッジ５の移動速度が安定し、インクの着弾位置のズレも防止できるうえ、走行に伴う騒音の発生も抑制できる。また、キャリッジ５の加速領域におけるオーバーシュート等も小さくなるので、加速領域を短くすることができ、装置の幅寸法（主走査方向）の小型化も可能となる。
【００４２】
なお、上述の実施形態では、記録ヘッド３が上向きにインクを吐出する形態について説明したが、本発明は記録ヘッド３が下向きにインクを吐出する形態に適用してもよい。下向きに吐出する場合には、案内部材６の案内面６ａを走行方向に沿う両側に分離して設け、分離した案内面６ａの間に記録ヘッド３を配置する。例えば、図８（ａ）に示す案内部材６は、傾斜方向の異なる２つの案内面６ａをＸ方向に分離して設け、分離した案内面６ａ，６ａの間にノズル面３ａを下にした記録ヘッド３を配置したものである。図８（ａ）では、Ｙ方向からの側面視で、外向き対称形に傾斜した２つの傾斜面６ａを用いた場合を図示しているが、内向き対称形に傾斜した２つの傾斜面６ａを用いて構成してもよい。また、図８（ｂ）に示す案内部材６は、傾斜方向の異なる一対の案内面６ａをＹ方向からの側面視でＶ字形状をなすように形成し、かつ一対の案内面６ａからなるＶ字形状を２つ設け、この２つのＶ字形状をＸ方向に離間させている。そして、前記２つのＶ字形状の間にノズル面３ａを下にした記録ヘッド３を配置している。このように、インクを下向きに吐出するように構成する場合には、被記録媒体Ｐに着弾しなかったインクが、記録ヘッド３側に落下する心配がないので、記録ヘッド３の汚染を低減できる。なお、インクを下向きに吐出する場合には、案内面５ａから被案内面６ａに噴射される圧縮流体がインクの吐出に悪影響を及ぼさないように配置することが望ましい。
【００４３】
なお、上記実施形態では、ポンプ装置１１をフレーム体２に取り付けているが、ポンプ装置１１をフレーム体２から離隔して設置し、フレーム体２にはレギュレータ等の圧力制御手段のみを取り付ける構造としてもよい。
【図面の簡単な説明】
【００４４】
【図１】画像記録装置の平面図である。
【図２】図１のII−II線矢視断面図である。
【図３】図１のIII−III線矢視拡大断面図である。
【図４】画像記録装置の斜視図である。
【図５】（ａ）はキャリッジを上面側から見た斜視図、（ｂ）はキャリッジを下面側から見た斜視図である。
【図６】噴射口付近を拡大した分解断面図である。
【図７】圧縮流体の制御を示すブロック図である。
【図８】（ａ）及び（ｂ）は、キャリッジと案内部材の変形例を模式的に示す断面図である
【符号の説明】
【００４５】
１      記録部
２      フレーム体
３      記録ヘッド
３ａ    ノズル面
５      キャリッジ
５ａ    被案内面
６      案内部材
６ａ    案内面
７      キャリッジ駆動モータ
８      タイミングベルト
１１    ポンプ装置
１２    供給チューブ
１３    供給口
１４    流体通路
１５    噴射口
１６    フィルム体
【図１】
2006150834.tif 000003
【図２】
2006150834.tif 000004
【図３】
2006150834.tif 000005
【図４】
2006150834.tif 000006
【図５】
2006150834.tif 000007
【図６】
2006150834.tif 000008
【図７】
2006150834.tif 000009
【図８】
2006150834.tif 000010